(57)【特許請求の範囲】
【請求項１】
各メーカーの車両の車両情報、該車両の各部位のデータを含む車両構造情報および該車両構造情報に係る作業点数が対応付けられて蓄積された作業点数データベースと、前記作業点数データベースに含まれない車両の車両情報および該車両の各部位のデータを含む車両構造情報が対応付けられて蓄積された車両構造データベースとに接続されたコンピュータが、
前記顧客車両の車両情報の入力を受け付けるステップと、
受け付けられた前記車両情報をキーに前記作業点数データベースを検索し、該作業点数データベースに前記車両情報に対応する作業点数が含まれない場合に、前記作業点数データベースを用いて前記顧客車両の車両情報に対応する作業点数を直接算出できないと判断するステップと、
前記作業点数データベースを用いて作業点数を直接算出できないと判断された場合に、前記受け付けられた車両情報をキーに、前記車両構造データベースを検索することで、前記顧客車両の車両情報に対応する車両構造情報を索出するステップと、
前記車両構造データベースより索出された車両構造情報をキーに、前記作業点数データベースを検索することで、前記顧客車両の各部位と同一構造を有する他車両の部位の作業点数を、前記顧客車両の該当部位の作業点数として抽出するステップと、
前記作業点数の抽出を各部位に対して繰り返すことで作業点数明細を作成するステップと、
を実行する整備作業見積提供方法。
【請求項２】
前記作業点数明細に含まれる作業項目のうち、顧客が所望する作業項目の選択の入力を受け付け、選択された作業項目に対応する車両整備の見積を算出するステップを更に実行する、請求項１に記載の整備作業見積提供方法。
【請求項３】
前記車両情報は車種、型式指定番号、類別区分およびフル型式の何れか一つ以上を含む情報である、請求項１または２に記載の整備作業見積提供方法。
【発明の詳細な説明】
【０００１】
【発明の属する技術分野】
本発明は、自動車整備工場等において、車両整備の作業点数が不明な車両を所有する顧客に対して車両整備の作業点数明細と見積明細とを提供する整備作業見積提供方法及び整備作業見積提供サーバに関するものである。
【０００２】
【従来の技術】
従来、自動車整備業においては、その整備作業にかかる時間、工程、煩雑度等を考慮して、各作業項目に作業点数（たとえば、基本点検＝1.9 等）をつけて、整備料金に点数に応じた作業工賃を加算している。整備作業の作業点数を算出する際は、社団法人日本自動車整備振興会連合会（日整連）が発行している自動車整備標準作業点数表を基準として、自動車整備の専門知識を持った担当者がその知識、経験を頼りに、顧客の車種に対応した具体的な作業点数を算出していた。そして、顧客の依頼に応じて決定された整備作業の前記作業点数を基に、顧客の車両の整備にかかる整備・技術料金の見積明細を算出する。その際、見積明細を記述するには前記担当者が時間をかけて間違いに気をつけながら記入していた。
【０００３】
また、近年では、コンピュータ端末等を用いて前記作業点数の算出をデータ処理している。日本車各メーカーの車種・型式別、定期点検・一般整備の別に、予め端末内に保管されている前記自動車整備標準作業点数表データから作業点数が一覧で表示され、この中から選択した項目がサービス明細に追加される。
【０００４】
一方、前記日整連作業点数表に記載されていない、車両整備の作業点数が不明な車両の修理・車検見積、請求書等を作成する場合には、自動車整備標準作業点数表を参考にして、自動車整備の専門知識を持った担当者がその知識、経験を頼りに、顧客の車種に対応した具体的な作業点数の見積を行っていた。
【０００５】
【発明が解決しようとする課題】
しかしながら、上記従来技術の場合には、下記のような問題が生じていた。上記のような担当者による作業点数の算出、見積では、自動車整備の専門知識を持った担当者がその知識、経験を頼りに、顧客の車種に対応した具体的な作業点数の算出、見積を行っているので、知識、経験の浅い担当者であれば、作業点数を算出するのに時間がかかってしまうのみならず、作業点数を取り間違えてしまうこともあった。また、人の行う作業であるため、知識、経験の浅い担当者でなくとも同様の間違いを起こすこともあった。さらに、担当者によって見積の指数が異なってしまうという問題も生じていた。
【０００６】
そして、自動車整備業では、通常、見積書あるいは作業指示書・納品書などを作成する際に大量の作業明細を記述する必要があり、そのため、その処理の際にもやはり「時間がかかる」、「間違いやすい」といった同様な問題が生じていた。
【０００７】
また、コンピュータ端末を用いての作業点数算出においては、車種・型式別、定期点検・一般整備の別に作業点数が一覧で表示される。しかし、コンピュータ端末での作業点数の算出は、コンピュータ端末が記憶している前記日整連作業点数表に対応した車両を対象とするものであるので、前記日整連作業点数表に記載されていない車両整備の作業点数が不明な車両には対応できなかった。
【０００８】
本発明は上記事項に鑑みなされたものであり、車両整備の作業点数が不明な車両に対しても、整備作業点数の算出、見積が簡易且つ迅速に対応可能な整備作業見積提供方法を提供することを課題とする。また、車両整備の作業点数が不明な車両に対しても、整備作業点数の算出、見積が簡易且つ迅速に対応可能な整備作業見積提供サーバを提供することを課題とする。
【０００９】
【課題を解決するための手段】
上記課題を解決するために、本発明は以下のような手段とした。すなわち、車両整備の作業点数が不明な顧客車両に対して、前記顧客車両の車両情報の入力を受け付けて、その車両情報を解析して車両構造情報を索出する。その車両構造情報を元に前記顧客車両の各部位のデータを抽出し、前記顧客車両の各部位と、同一構造の作業点数が参照可能な他車両の部位を検索し、前記他車両の部位の作業点数を前記顧客車両の該当部位の作業点数として抽出する。この作業点数の抽出を各部位に対して繰り返すことで作業点数明細を作成する。その後、前記作業点数明細の中から顧客の選択した作業項目に対応して車両整備の見積を算出する。そして、前記作業点数明細と見積明細とを表示データとして生成して、車両整備の作業点数明細と見積明細とをネットワークを介してウェブ端末に提供する整備作業見積提供サーバのウェブ画面に表示するようにした。
【００１０】
これにより、日整連作業点数表に記載されていない車両の修理・車検見積もり、請求書などを作成する場合に、見積もりする車両の構造（メーカー、エンジン型式、駆動方式、サスペンション方式など）を元に日整連作業点数表に記載されている車両と結びつけ、適した点数を自動的に見積書等に取り込むことが可能となる。また、点数の結びつけを車両の部位毎にもできるようにすることで部位毎に点数の結びつけができるので、より最適な作業点数が表示できる。
【００１１】
また、車両整備の作業点数明細と見積明細とをネットワークを介してウェブ端末に提供する整備作業見積提供サーバが、車両整備の作業点数が不明な顧客車両に対して、前記顧客車両の車両情報の入力を受け付けるステップと、前記車両情報を解析して車両構造情報を索出するステップと、前記車両構造情報を元に前記顧客車両の各部位のデータを抽出するステップと、前記顧客車両の各部位と、同一構造の作業点数が参照可能な他車両の部位を検索するステップと、前記他車両の部位の作業点数を前記顧客車両の該当部位の作業点数として抽出するステップと、前記作業点数の抽出を各部位に対して繰り返すことで作業点数明細を作成するステップと、前記作業点数明細の中から顧客の選択した作業項目に対応して車両整備の見積を算出するステップと、前記作業点数明細と見積明細とを表示データとして生成するステップと、を実行する整備作業見積提供プログラムとした。
【００１２】
【発明の実施の形態】
以下に図面を参照し、この発明の実施の形態について詳細に説明する。ただし、この実施の形態に記載されている構成は、特に特定的な記載がない限りは、この発明の技術的範囲をそれらのみに限定する趣旨のものではない。図１〜図７を参照して、本発明の実施の形態に係る整備作業見積提供方法及び整備作業見積提供サーバについて説明する。
【００１３】
図１は、整備作業見積提供サーバであるウェブサーバ１（以下、サーバ１と称す）が接続されたネットワーク３の構成図である。各整備工場に対して車両に関する情報提供及び情報管理を行うサービスセンタ８に設けられたサーバ１は、ＷＷＷ（World Wide Web）等のネットワーク３によって、顧客９の所有するウェブ端末２、及び自動車等の車両の整備工場９′に備えられたウェブ端末２′と接続されている。このサーバ１の制御ブロックを図２に示す。なお、サービスセンタ８を設置せずに、整備工場９′にサーバ１を設けて車両の情報提供・管理を行う構成としてもよい。
【００１４】
図２において、５はユーザに文字、静止画、動画等にて表される情報を表示する表示装置である。表示装置５には、ブラウン管ディスプレイ（ＣＲＴ=Cathode-Ray Tube Display）、液晶ディスプレイ（ＬＣＤ=Liquid Crystal Display）、発光ダイオード（ＬＥＤ=Light Emitting Diode）等を用いる。６は、キーボード、マウス等から構成される諸情報を入力する入力装置である。７は、表示装置５の画面情報等、サーバ１の保管する諸情報を必要に応じてプリントアウトするプリンタ等の出力装置である。
【００１５】
サーバ１の内部構造として、ハードディスク装置４、ＣＰＵ（Central Processing Unit）１１、メインメモリ１２、ＲＯＭ（Read-Only Memory）１３がバス１７を介して接続されている。さらに、ハードディスク装置４には、情報処理毎に必要な情報を記憶した各データベースが構築されている。
【００１６】
情報処理部１０は、ウェブサーバ１全体の制御処理を行うＣＰＵ（Central Processing Unit）１１、メインメモリ１２からなる。ハードディスク装置（記憶手段）４は情報処理の為のソフトウェアを記憶している。ウェブサーバ１のハードディスク装置４には、オペレーティングシステム（ＯＳ）やアプリケーションソフト（解析プログラム、情報処理プログラム）がインストールされている。また、ハードディスク装置４は、各車両情報に対応する整備作業情報をデータベース化した整備車両データベース１８として、車両構造データベース１９、作業点数データベース２０、見積明細データベース２１を格納している。整備車両データベース１８としての各データベースについては後に詳述する。
【００１７】
通信制御部１４は、ネットワークに接続して通信を行う為の通信制御プログラム、及びモデム１５やネット制御装置１６とのインターフェース回路からなる。モデム１５は、伝送手順信号用の低速モデム（Ｖ２１）と画情報の送受信用の高速モデム（Ｖ２７ter 、Ｖ２９、Ｖ３３、Ｖ１７など）機能を備えた変復調装置であり、ＤＴＭＦ（Dual Tone Multi-Frequency=ＰＢ信号）送受信機能も備えている。ネット制御装置１６は電話網あるいはＩＳＤＮ（Integrated Services Digital Network）の回線とのインターフェース回路であり、自動発着信機能を備えている。バス１７はサーバ１内の各回路間でデータの転送を行うためのものである。
【００１８】
図６及び図７は、整備作業見積提供方法の実行工程を示したフローチャートである。図１、図２を参照し、図６、図７のフローチャートに沿いながら本実施形態における整備作業見積提供方法の実行工程をより具体的に説明する。なお、本実施形態において顧客９の所有する車両が、社団法人日本自動車整備振興会連合会（以下、日整連と称す）が発行している自動車整備標準作業点数表（以下、作業点数表と称す）に記載されていない、車両整備の作業点数が不明な車両を実施例とする。
【００１９】
図１において、顧客９がウェブ端末２よりネットワーク３を介してサーバ１にアクセスする。顧客９は車両情報として、「車種、型式指定番号、類別区分、フル型式」を入力する。その入力データをサービスセンタ８のサーバ１が受け付ける（Ｓ１０１）。なお、車両情報の入力については、顧客の車両整備依頼を受けた整備工場９′の担当者がウェブ端末２′よりネットワーク３を介してサーバ１にアクセスし、担当者が顧客の車両情報を入力するという経過であっても差し支えない。
【００２０】
サーバ１は、作業点数データベース２０内に格納している作業点数表を検索して、受け付けた車両情報が作業点数表を参照可能な、対応している車種であるどうかを判断する（Ｓ１０２）。参照可能な車両であった場合は、その車種に対応した作業点数が、表から抽出される（▲１▼：Ｓ１０９へ）。しかしながら、本実施例では、顧客車両は作業点数表には記載されておらず、顧客車両の整備作業点数はこのままでは不明である。
【００２１】
作業点数表に記載されていない場合、サーバ１は、その車両情報を元に図２に示したハードディスク装置４の解析プログラム（図示せず）によって解析して車両構造データベース１９から顧客の車両構造情報を索出する（Ｓ１０３）。すなわち、前記解析プログラムによって車両に対応した車両構造情報を車両構造データベース１９から自動判断し取得する。この車両構造データベース１９は、各メーカーの各車両の構造情報を網羅し、各車両情報に対応する形でデータベース化したものである。そして、Ｓ１０３で索出した車両構造情報を元に解析プログラムにより顧客車両の各部位のデータを抽出する（Ｓ１０４）。さらに、車両構造情報を元にして車両構造情報表示用のウェブページを生成する（Ｓ１０５）。そのウェブページの構成例を図３に示した。図３の実施例においては、車両構造情報として「メーカー、エンジン形式、駆動方式、サスペンション方式、ブレーキ方式」がウェブページ上に表示されている。ウェブページの詳細については後述する。
【００２２】
次に、Ｓ１０４において抽出された顧客車両の各部位と、同一構造を有する他車両の部位の作業点数を作業点数データベースから検索し（Ｓ１０６）、前記他車両の部位の作業点数を前記顧客車両の該当部位の作業点数として抽出する（Ｓ１０７）。具体的には、例えば顧客車両のブレーキ方式（実施例ではDiskブレーキ）と同一の方式を採用している車種の作業点数表から、ブレーキの部位の作業点数を索出し、その作業点数を顧客車両の該当部位（ブレーキ）の作業点数として利用する。
【００２３】
Ｓ１０６及びＳ１０７における作業点数の抽出を顧客車両の各部位（エンジン、サスペンション等）に対して繰り返す（Ｓ１０８）ことで抽出したデータを統合して作業点数明細を作成する（Ｓ１０９）。そして、その作業点数明細の表示用としてのウェブページを生成する（Ｓ１１０）。そのウェブページの構成例を図４に示した。図４の実施例において前記作業点数明細は、整備作業点数明細欄４１に表示されている。ウェブページの詳細については後述する。
【００２４】
さらに、前記作業点数明細の中から顧客の選択した作業項目に対応して車両整備の見積を見積明細データベース２１から算出し（Ｓ１１１）、その見積明細の表示用としてのウェブページを生成する（Ｓ１１２）。そのウェブページの構成例を図５に示した。図５の実施例において、顧客の選択した作業項目整備作業点数明細欄５２に、見積明細は見積明細欄５３にそれぞれ表示されている。ウェブページの詳細については後述する。以上により整備作業見積提供方法の実行工程は終了する。なお、必要に応じて書類としての見積書を発行するような構成としてもよい。
【００２５】
次に、図３から図５を参照して整備作業見積提供サーバ１による整備作業見積提供サービスについて説明する。図３から図５は作業点数明細提供サーバにより配信された整備作業見積明細ウェブサービスのウェブページの構成例を示した概略図である。
【００２６】
図３において、２２はウェブ画面、２３は車両構造情報表示用のウェブページ、２４は顧客９が入力した顧客車両の車両情報欄、３０は車両構造データベース１９から顧客の車両構造情報を索出した車両構造情報欄である。
【００２７】
車両情報欄２４は、予め顧客により入力された車両情報の入力内容確認のために設けられた欄である。本実施例においてはお客様の車両情報入力内容として、車両ナンバー欄２５、車種欄２６、型式指定番号欄２７、類別区分欄２８、フル型式欄２９に対して、それに対応した顧客車両の車両情報がそれぞれ表示されている。
【００２８】
車両構造情報欄３０は、入力された車両情報に基づいてハードディスク装置４の解析プログラムにより車両構造データベース１９から索出された、顧客９の車両の構造を把握する為のデータを表示している。本実施例においてはお客様の車両構造情報検索結果として、メーカー欄３１、エンジン形式欄３２、駆動方式３３、サスペンション方式欄３４、ブレーキ方式欄３５に対して、それに対応した顧客車両の車両構造情報がそれぞれ表示されている。
【００２９】
車両構造情報表示用のウェブページ２３においては、顧客が入力した車両情報、及びそれに基づいて索出した車両構造情報の表示を行う。そして、各々の情報を顧客９に確認してもらい、顧客９は内容に訂正がなければウェブ画面２２上の確認ボタン３６を選択して次のウェブページ（図４）に進み、もし訂正があれば訂正ボタンを選択して訂正画面（図示せず）に進んで車両情報もしくは車両構造情報の内容を訂正入力する。
【００３０】
図４は整備作業点数表の表示、及び作業項目の選択のためのウェブページの構成例を示している。図４において、３８はウェブ画面、３９は作業点数表表示用のウェブページ、４０は前記車両情報及び車両構造情報の内容確認のために設けられた車両情報確認欄、４１は顧客車両に対応した作業点数の一覧を表示した整備作業点数表欄である。
【００３１】
図３において確認された車両情報及び車両構造情報に基づいて、顧客９の車両の部位（例えばエンジン、ブレーキ等）の構造と同一構造を有する他車両の同一部位を、ハードディスク装置４の解析プログラムにより車両構造データベース１９から索出する。そして、前記他車両の部位に対応する整備作業の作業点数を、顧客車両の該当部位の作業点数としてハードディスク装置４の解析プログラムにより作業点数データベース２０から抽出する。この工程を顧客車両の車両構造情報に表示されている各部位に対して繰り返し、各部位に対応する全作業点数を抽出する。この抽出された全作業点数を一覧表にして表示したのが整備作業点数表欄４１である。
【００３２】
本実施例における整備作業点数表欄４１には、基本的な整備作業項目の他、顧客車両構造としてのエンジン形式、駆動方式、サスペンション方式、ブレーキ方式に応じた整備作業項目が列記されている。顧客９は整備作業点数表欄４１に表示されている作業項目欄４４、作業点数欄４５、備考欄４６を参照して今回の車両整備として希望する作業項目の左端の選択欄をクリックしてチェックを入れる。全ての所望の作業項目を選択し終えたら、ウェブページ上の決定ボタン４７をクリックして決定する。なお、４３は日整連作業点数表に対応した作業コード欄（あるいは会社内所定の作業コード欄であってもよい）、４８は整備作業点数の選択を中止する際の中止ボタンである。選択終了後は次のウェブページ（図５）に進む。
【００３３】
図５は顧客９によって選択された整備作業の作業点数明細に対応した見積明細表示用のウェブページの構成例を示している。図５において４９はウェブ画面、５０は見積明細表示用のウェブページ、５１は前記車両情報及び車両構造情報の内容確認のために設けられた車両情報確認欄、５２は顧客９によって選択された整備作業の点数の明細を表示した整備作業点数明細欄、５３は作業点数明細に対応した見積の明細を表示した見積明細欄である。図４の整備作業点数表欄４１において顧客９が選択した作業項目をリストにして、その作業点数の明細及び合計が整備作業点数明細内容欄５２に表示される。さらに上記作業点数明細を考慮に入れて、作業工賃、部品代、税等の整備料金の明細が見積明細欄５３に表示され、今回の整備作業料金の見積がウェブページ上に示される。
【００３４】
なお、ウェブページ５０を出力装置にて印刷して、必要に応じて書類としての見積書を発行してもよい。ウェブページ５０をこのように、整備作業見積明細ウェブサービスをサービスセンタ８（もしくは整備工場９′）が持つホームページ（ウェブページ）に取り込むことで、車両整備の作業点数が不明な車両を所有する顧客に対して車両整備の作業点数明細と見積明細とを提供して、顧客が来店しなくても車両整備の見積明細を把握することが可能となる。
【００３５】
一方、車両整備の作業点数明細と見積明細とをネットワークを介してウェブ端末に提供する整備作業見積提供サーバが、車両整備の作業点数が不明な顧客車両に対して、前記顧客車両の車両情報の入力を受け付けるステップと、前記車両情報を解析して車両構造情報を索出するステップと、前記車両構造情報を元に前記顧客車両の各部位のデータを抽出するステップと、前記顧客車両の各部位と、同一構造の作業点数が参照可能な他車両の部位を検索するステップと、前記他車両の部位の作業点数を前記顧客車両の該当部位の作業点数として抽出するステップと、前記作業点数の抽出を各部位に対して繰り返すことで作業点数明細を作成するステップと、前記作業点数明細の中から顧客の選択した作業項目に対応して車両整備の見積を算出するステップと、前記作業点数明細と見積明細とを表示データとして生成するステップと、を実行する整備作業見積提供プログラムとした。これにより、整備作業見積提供サーバを利用した整備作業見積提供サービスだけでなく、前記整備作業見積提供プログラムをソフトウェアとして提供するサービスも実現できる。
【００３６】
本実施形態のような整備作業見積提供方法及び整備作業見積提供サーバによれば、日整連作業点数表に記載されていない車両の修理・車検見積もり、請求書などを作成する場合に、見積もりする車両の構造（メーカー、エンジン型式、駆動方式、サスペンション方式など）を元に日整連作業点数表に記載されている車両と結びつけ、適した点数を自動的に見積書等に取り込むことが可能となる。また、点数の結びつけを車両の部位毎にもできるようにすることで部位毎に点数の結びつけができるので、より最適な作業点数が表示できる。
【００３７】
【発明の効果】
以上説明したように、本発明は、車両整備の作業点数が不明な顧客車両に対して、前記顧客車両の車両情報の入力を受け付け、前記車両情報を解析して車両構造情報を索出し、前記車両構造情報を元に前記顧客車両の各部位のデータを抽出し、前記顧客車両の各部位と、同一構造を有する他車両の部位の作業点数を検索し、前記他車両の部位の作業点数を前記顧客車両の該当部位の作業点数として抽出し、前記作業点数の抽出を各部位に対して繰り返すことで作業点数明細を作成し、前記作業点数明細の中から顧客の選択した作業項目に対応して車両整備の見積を算出し、前記作業点数明細と見積明細とを表示データとして生成したので、車両整備の作業点数が不明な車両に対しても、整備作業点数の算出、見積が簡易且つ迅速に対応可能な整備作業見積提供方法を提供できる。また、車両整備の作業点数が不明な車両に対しても、整備作業点数の算出、見積が簡易且つ迅速に対応可能な整備作業見積提供サーバを提供できる。
【図面の簡単な説明】
【図１】本発明の実施の形態にかかる作業点数明細提供サーバが接続されたネットワークの構成図である。
【図２】本発明の実施の形態にかかる作業点数明細提供サーバの制御ブロック図である。
【図３】本発明の実施の形態にかかる作業点数明細提供サーバにより配信されたウェブページの構成例を示した概略図である。
【図４】本発明の実施の形態にかかる作業点数明細提供サーバにより配信されたウェブページの構成例を示した概略図である。
【図５】本発明の実施の形態にかかる作業点数明細提供サーバにより配信されたウェブページの構成例を示した概略図である。
【図６】本発明の実施の形態にかかる作業点数明細提供方法の実行工程を示したフローチャートである。
【図７】本発明の実施の形態にかかる作業点数明細提供方法の実行工程を示したフローチャートである。
【符号の説明】
１   （ウェブ）サーバ
２   ウェブ端末
２′ ウェブ端末
３   ネットワーク
４   ハードディスク装置（ＨＤ）
５   表示装置
６   入力装置
７   出力装置
８   サービスセンタ
９   顧客（ユーザ）
９′ 整備工場
１０ 情報処理部
１１ ＣＰＵ（Central Processing Unit）
１２ メインメモリ
１３ ＲＯＭ（Read-Only Memory）
１４ 通信制御部
１５ モデム
１６ ネット制御装置
１７ バス
１８ 車両整備データベース
１９ 車両構造データベース
２０ 作業点数データベース
２１ 見積明細データベース
２２ ウェブ画面
２３ （車両構造情報表示用）ウェブページ
２４ 車両情報欄
２５ 車両ナンバー欄
２６ 車種欄
２７ 型式指定番号欄
２８ 類別区分欄
２９ フル型式欄
３０ 車両構造情報欄
３１ メーカー欄
３２ エンジン形式欄
３３ 駆動方式
３４ サスペンション方式欄
３５ ブレーキ方式欄
３６ 確認ボタン
３７ 訂正ボタン
３８ ウェブ画面
３９ （作業点数表表示用）ウェブページ
４０ 車両情報確認欄
４１ 整備作業点数表欄
４２ 選択欄
４３ 作業コード欄
４４ 作業項目欄
４５ 作業点数欄
４６ 備考欄
４７ 決定ボタン
４８ 取消ボタン
４９ ウェブ画面
５０ （見積明細表示用）ウェブページ
５１ 車両情報確認欄
５２ 整備作業点数明細欄
５３ 見積明細欄
【図１】
0004599010.tif 000002
【図２】
0004599010.tif 000003
【図３】
0004599010.tif 000004
【図４】
0004599010.tif 000005
【図５】
0004599010.tif 000006
【図６】
0004599010.tif 000007
【図７】
0004599010.tif 000008